(57)【要約】      （修正有）【課題】施工に便利で、取り外しがスピーディーに行え、取り外し後には洗浄して再利用できる多用途の壁用ステッカーを提供する。【解決手段】壁用ステッカーは、中間基層１１、表面装飾層１２、及び底面粘着層１３を含み、それらが組み合わされて構成される。中間基層１１は軟質材料或いは硬質材料で形成され、必要に応じて裁断して任意の形状とされ、中間基層の表面には各種模様、パターン、カラーを印刷できる。表面装飾層１２にはアクリル樹脂が使用され、均一に中間基層の表面にコーティング形成された透明保護層とされる。底面粘着層１３はＰＵ樹脂、ＰＳＡ感圧樹脂、或いはＰＵ弾性体で形成され、中間基層の底面に結合されて一体とされ、外表面にライナー１４が設けられる。【選択図】図１
0003198895.tif 000002
【実用新案登録請求の範囲】
【請求項１】
壁用ステッカーにおいて、
中間基層であって、軟質材料で形成され、裁断して必要な任意の形状とされ、表面に各種の模様、パターン、カラーを印刷可能である、上記中間基層と、
表面装飾層であって、アクリル樹脂が該中間基層の表面に均一にコーティングされて形成された薄型透明保護層である、上記表面装飾層と、
底面粘着層であって、ＰＵ樹脂、ＰＳＡ感圧樹脂、或いはＰＵ弾性体で形成され、該中間基層の底面に結合されて一体とされ、該底面粘着層の外表面にライナーが設けられた、上記底面粘着層と、
を含み、軟質材料で形成された中間基層により壁用ステッカーが巻回して収納可能とされ、ライナーが剥がされ壁面に接合されて壁面上の装飾面を形成することを特徴とする、壁用ステッカー。
【請求項２】
請求項１記載の壁用ステッカーにおいて、該中間基層が硬質材料で形成され、裁断して必要な任意の形状とされ、該中間基層の表面に各種の模様、パターン、カラーを印刷可能であり、硬質材料で形成された中間基層により壁用ステッカーが多層を積み重ねて収蔵可能とされ、ライナーが剥がされ壁面に接合されて壁面上の装飾面を形成することを特徴とする、壁用ステッカー。
【請求項３】
壁用ステッカーにおいて、
底面粘着層であって、ＰＵ樹脂、ＰＳＡ感圧樹脂、或いはＰＵ弾性体で形成され、中間夾持層の底面に結合されて一体とされ、該底面粘着層の外表面にライナーが設けられる、上記底面粘着層と、
表面装飾層であって、アクリル樹脂が使用され、該中間夾持層の表面に均一にコーティングされて形成された薄型透明保護層とされる、上記表面装飾層と、
中間夾持層であって、写真、絵、風景画、ポスター、商業広告或いは任意の平面素材とされる、上記中間基層と、
を含むことを特徴とする、壁用ステッカー。
【考案の詳細な説明】
【技術分野】
【０００１】
本考案は一種の壁用ステッカーとされ、特に一種の、中間基層、表面装飾層、及び底面粘着層が一体に結合されて構成された一種の重複して粘着可能な多用途壁用ステッカーであり、改良型壁用ステッカー構造の技術範疇に属する。
【背景技術】
【０００２】
インテリア業界で用いられる機能性或いは装飾性表面材料の種類は多く、最もよく目にされるのは、たとえば壁紙、壁布、壁画等であり、壁面を保護するほか、空間を美化する特徴も有している。
【０００３】
ただし、伝統的な周知の上記機能性或いは装飾性材料は、ほとんどが一旦施工された後には、壁面に固定接合され、交換したい場合は、手間と費用をかけて取り外して、選択した新しい面材料を取り付けなければならず、取り外し後の面材料はほとんどが廃棄物となり、重複利用はできない。
【考案の概要】
【考案が解決しようとする課題】
【０００４】
伝統的な技術の欠点と不便を改善するため、本考案はすなわち、新規な構造の壁用ステッカーを提供する。
【０００５】
すなわち、本考案の主要な目的は、一種の、中間基層、表面装飾層、及び底面粘着層を一体に結合させて構成した、重複して粘着可能な多用途壁用ステッカーを提供することにある。
【０００６】
本考案のさらなる目的は、一種の、施工環境の必要に応じて、軟質材料或いは硬質材料を中間基層として選択使用でき、施工に便利で、取り外しがスピーディーに行え、取り外し後には洗浄して再利用できる特徴を具えた多用途壁用ステッカーを提供することにある。
【課題を解決するための手段】
【０００７】
上述の目的を実現するため、本考案は以下の技術手段を採用する。
【０００８】
本考案の壁用ステッカーは、中間基層、表面装飾層、及び底面粘着層を組み合わせて構成される。
【０００９】
上記中間基層は、軟質材料とされ得るほか、硬質材料とされてもよく、中間基層は裁断して必要な任意の形状とされ、中間基層の表面には各種の模様、パターン、カラーが印刷され得る。
【００１０】
上記表面装飾層は、アクリル樹脂（Ａｃｒｙｌｉｃ  Ｃｏｐｏｌｙｍｅｒｓ）が使用され、該中間基層の表面に均一にコーティングされて形成された薄型透明保護層とされる。
【００１１】
上記底面粘着層はＰＵ樹脂、ＰＳＡ感圧樹脂、或いはＰＵ弾性体で形成され、該中間基層の底面に結合されて一体とされ、該底面粘着層の外表面にライナーが設けられて、これにより壁用ステッカーを巻回して収蔵するか或いは多層を積み重ねて収蔵することができる。
【００１２】
ＰＵ樹脂（Ｐｏｌｙｕｒｅｔｈａｎｅ）、ＰＳＡ感圧樹脂、或いはＰＵ弾性体（ＰＵ
Ｅｌａｓｔｏｍｅｒｓ）で形成された底面粘着層は、その特性が、粘着性が良好で、耐候性がよく、表面の雑物を容易に掃除でき、水で洗浄でき、何度も繰り返して粘着使用できることにある。
【考案の効果】
【００１３】
本考案の中間基層は、どのような製造材料と寸法企画を使用するかの制限がない。本考案の組合せ体と構造は並びに複雑でなく、特に、各種の臨時性建築物の内外壁面の壁用ステッカーとされ、前述の予期された目的を達成する。
【図面の簡単な説明】
【００１４】
【図１】本考案の壁用ステッカーのある実施例の構造図である。
【図２】図１中の壁用ステッカーの巻回状態表示図である。
【図３】本考案の壁用ステッカーの第２実施例の構造図である。
【図４】本考案の壁用ステッカーの第３実施例の構造図である。
【考案を実施するための形態】
【００１５】
以下に本考案の技術内容、構造特徴、達成する目的及び作用効果について、以下に例を挙げ並びに図面を組み合わせて詳細に説明する。
【００１６】
図１に示されるように、本考案の壁用ステッカー１０は、中間基層１１、表面装飾層１２、及び底面粘着層１３を組み合わせて構成される。
【００１７】
上記中間基層１１は、軟質材料を使用して形成され、必要に応じて裁断されて任意の形状とされ、中間基層１１の表面には各種の模様、パターン、カラーを印刷可能である。
【００１８】
上記軟質材料は、紙、織物、化繊織物、プラスチック、或いはその他の巻回可能な軟性平面材料とされ得る。
【００１９】
上記表面装飾層１２は、アクリル樹脂（Ａｃｒｙｌｉｃ  Ｃｏｐｏｌｙｍｅｒｓ）が使用され、該中間基層１１の表面に均一にコーティングされて形成された薄型透明保護層とされる。
【００２０】
上記底面粘着層１３はＰＵ樹脂、ＰＳＡ感圧樹脂、或いはＰＵ弾性体で形成され、該中間基層１１の底面に結合されて一体とされ、該底面粘着層１３の外表面にライナー１４が設けられている。
【００２１】
底面粘着層１３のライナー１４は、底面粘着層１３を被覆するのに用いられ、底面粘着層１３が任意に粘着しないようにする。この壁用ステッカー１０は図２に示されるように巻回されて収蔵状態とされ得る。
【００２２】
上記壁用ステッカー１０は、施工時に、ただライナー１４を剥がせば、壁用ステッカー１０を施工壁面に貼り付けて、壁面上の装飾面を形成できる。
【００２３】
図３は本考案の第２実施例の構造図である。
【００２４】
図３に示される本考案の壁用ステッカー２０は、中間基層２１、表面装飾層２２、及び底面粘着層２３を組み合わせて構成される。
【００２５】
上記中間基層２１は、硬質材料を使用して形成され、必要に応じて裁断されて任意の形状とされ、中間基層２１の表面には各種の模様、パターン、カラーを印刷可能である。
【００２６】
上記硬質材料は、木板、金属板、合成板、プラスチック板、或いはその他の湾曲変形しにくい硬質平面材料とされる。
【００２７】
上記表面装飾層２２は、アクリル樹脂（Ａｃｒｙｌｉｃ  Ｃｏｐｏｌｙｍｅｒｓ）が使用され、該中間基層２１の表面に均一にコーティングされて形成された薄型透明保護層とされる。
【００２８】
上記底面粘着層２３はＰＵ樹脂、ＰＳＡ感圧樹脂、或いはＰＵ弾性体で形成され、該中間基層２１の底面に結合されて一体とされ、該底面粘着層２３の外表面にライナー２４が設けられている。
【００２９】
底面粘着層２３のライナー２４は、底面粘着層２３を被覆するのに用いられ、底面粘着層２３が任意に粘着しないようにする。この壁用ステッカー２０は多層が積み重ねられて収蔵状態とされ得る。
【００３０】
上記壁用ステッカー２０は、施工時に、ただライナー２４を剥がせば、壁用ステッカー２０を施工壁面に貼り付けて、壁面上の装飾面を形成できる。
【００３１】
図４は本考案の第３実施例の構造図である。
【００３２】
図４に示される本考案の壁用ステッカー３０は、底面粘着層３１、表面装飾層３２、及び中間夾持層３３を組み合わせて構成される。
【００３３】
上記底面粘着層３１はＰＵ樹脂、ＰＳＡ感圧樹脂、或いはＰＵ弾性体で形成され、該中間夾持層３３の底面に結合されて一体とされ、該底面粘着層３１の外表面にライナー３４が設けられている。
【００３４】
上記表面装飾層３２は、アクリル樹脂（Ａｃｒｙｌｉｃ  Ｃｏｐｏｌｙｍｅｒｓ）が使用され、該中間夾持層３３の表面に均一にコーティングされて形成された薄型透明保護層とされる。
【００３５】
上記中間夾持層３３は、各種平面素材とされ、たとえば、写真、絵、風景画、ポスター、商業広告等とされ、必要に応じて裁断され任意の形状とされる。
【００３６】
底面粘着層３１のライナー３４は、底面粘着層３１を被覆するのに用いられ、底面粘着層３１が任意に粘着しないようにする。この壁用ステッカー３０は巻回されるか多層が積み重ねられて収蔵状態とされ得る。
【００３７】
上記壁用ステッカー３０は、施工時に、ただライナー３４を剥がせば、壁用ステッカー２０を施工壁面に貼り付けて、壁面上の装飾面或いは広告面を形成できる。
【００３８】
上述の異なる実施例から分かるように、本考案の壁用ステッカーの構造は複雑でなく、中間基層の構成材料は取得が容易で、加工が簡単で、材料代替え性が高く、多様な選択性を有し、これにより本考案の製造コストは最低程度まで下げられる。
【００３９】
実際の使用上、本考案の壁用ステッカーは必要に応じて各種の模様、パターン、カラーを有するように製造されて、カスタマイズされた応用に最も適合する。施工はスピーディーで便利であり、十分に建築物の内外壁面に応用でき、特に、各種の臨時性建築物の内外壁面たとえば演芸舞台、建築用地のモデルルーム、商品展示場などの壁用ステッカー装飾とされ、必要時には短時間内に取り外せ、洗浄後に再使用でき、或いは比較的大面積の壁用ステッカーに製造されて、教育用の黒板、ホワイトボード、プロジェクター用スクリーン等とされ得て、十分に重複再使用の機能を発揮でき、大幅に便利性をアップし、前述の予期された目的を達成する。
【００４０】
総合すると、本考案は確実に予期された機能及び目的を達成でき、並びに当業者がそれに基づき実施できる程度に詳細に説明されている。しかしながら、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００４１】
１０  壁用ステッカー
１１  中間基層
１２  表面装飾層
１３  底面粘着層
１４  ライナー
２０  壁用ステッカー
２１  中間基層
２２  表面装飾層
２３  底面粘着層
２４  ライナー
３０  壁用ステッカー
３１  底面粘着層
３２  表面装飾層
３３  中間夾持層
３４  ライナー
【図１】
0003198895.tif 000003
【図２】
0003198895.tif 000004
【図３】
0003198895.tif 000005
【図４】
0003198895.tif 000006
【手続補正書】
【提出日】平成27年5月27日(2015.5.27)
【手続補正１】
【補正対象書類名】実用新案登録請求の範囲
【補正対象項目名】請求項３
【補正方法】変更
【補正の内容】
【請求項３】
壁用ステッカーにおいて、
底面粘着層であって、ＰＵ樹脂、ＰＳＡ感圧樹脂、或いはＰＵ弾性体で形成され、中間夾持層の底面に結合されて一体とされ、該底面粘着層の外表面にライナーが設けられる、上記底面粘着層と、
表面装飾層であって、アクリル樹脂が使用され、該中間夾持層の表面に均一にコーティングされて形成された薄型透明保護層とされる、上記表面装飾層と、
中間夾持層であって、写真、絵、風景画、ポスター、商業広告或いは任意の平面素材とされる、上記中間夾持層と、
を含むことを特徴とする、壁用ステッカー。